(57)【要約】      （修正有）【課題】病院や施設などで利用されるベットからの転倒防止ベッドの提供。【解決手段】頭部左端に第１赤外線受光部２、中央に第２赤外線受光部２ａ、右端に第３赤外線受光部２ｂを備え、脚部左端に第１赤外線発光部３、右端に第２赤外線発光部３ａを備えたベット４と、前記第１、第２、第３赤外線受光部の各信号線を束ねたケーブル５と、前記信号線に接続される第１処理論理積ゲート及び第２処理論理積ゲートからなりモニタ９に接続された処理装置６とからなることを特徴とする転倒防止ベット１の構成とした。【選択図】  図１
2007289251.tif 000002
【特許請求の範囲】
【請求項１】
頭部左端に第１赤外線受光部、中央に第２赤外線受光部、右端に第３赤外線受光部を備え、脚部左端に第１赤外線発光部、右端に第２赤外線発光部を備えたベットと、前記第１、第２、第３赤外線受光部の各信号線を束ねたケーブルと、前記信号線に接続される第１処理論理積ゲート及び第２処理論理積ゲートからなりモニタに接続された処理装置とからなることを特徴とする転倒防止ベット。
【発明の詳細な説明】
【技術分野】
【０００１】
本発明は、病院や施設などで利用されるベットからの転倒防止に関する発明である。
【背景技術】
【０００２】
従来、病院や福祉施設のベットは枕元にナースコール用のスイッチが配置されており、利用者は看護師等の手助けを必要とする場合にスイッチを押して看護師等を呼び出すことができた。
【０００３】
しかし、現在多く使用されているナースコール用のスイッチは、利用者がスイッチを押さなければならないため当然利用者が起きている間に使用され、睡眠時などの意識が無い状態でベットからの転落し怪我をした場合は利用者が自らスイッチを押し人を呼ぶことができず、看護師等の巡回を待つしかなかった。また、介護施設等での痴呆老人の徘徊などにも介護師等はすぐに対応することができず、巡回の際に利用者がいるかどうかを確認していた。
【０００４】
また、看護師の人員不足は慢性化しており、夜間の病院内等でのベッド転落事故は未だ後を絶たない。転落防止手段が数多く開発されているが、患者拘束、プライバシーの問題や安全性の問題を考慮すると、生活の監視を極力さけ、特に患者へ非接触のセンサを有した開発が望まれている。
【０００５】
更に特許文献１に示したような「ベットにおける徘徊検出手段」が公開されているが、患者がベッドから離床する際にベッド端を通過することを検知するもので、仮に転落時に感知しても既に転落寸前の状態であり転落の防止にはつながらない。また、臨床では様々な患者がおりベッド柵に足を寄りかけて休む患者も少なくない。この場合先述のセンサでは、人体の通過と認識し誤作動する可能性もある。これはあくまでもベッドから離床して徘徊を防ぐためのものであり、転落を防ぐものではなく目的や方向性が違うことが分かる。
【特許文献１】特開平７−８４６２「ベッドにおける徘徊検出手段」
【発明の開示】
【発明が解決しようとする課題】
【０００６】
そこで本発明は転落を未然に検知する安価で安全な転落防止手段を提供することを目的とするものである。
【課題を解決するための手段】
【０００７】
本発明は上記の課題を解決するため、頭部左端に第１赤外線受光部２、中央に第２赤外線受光部２ａ、右端に第３赤外線受光部２ｂを備え、脚部左端に第１赤外線発光部３、右端に第２赤外線発光部３ａを備えたベット４と、前記第１、第２、第３赤外線受光部２、２ａ、２ｂの各信号線５ａ、５ｂ、５ｃを束ねたケーブル５と、前記信号線に接続される第１処理論理積ゲート６ａ及び第２処理論理積ゲート６ｂからなりモニタ９に接続された処理装置６とからなることを特徴とする転倒防止ベットの構成とした。
【発明の効果】
【０００８】
患者に非接触であることは、患者への拘束感軽減はさることながら、電気的接触がないことで安全性の向上に寄与している。また、既存のナースコール回線に手を加えることなく、赤外線センサの中でも、最も簡単な通過センサを使用するためシステムが簡単になり、短期長期的に見ても経済性もよい。以上のことから、看護師不足から転落を防止する手段として本発明は有用である。
【発明を実施するための最良の形態】
【０００９】
利用者のプライバシーを守り、ベットからの転落を未然に防ぐこと及び万一転落した場合でも早急に対応することができ、看護師又は介護師等の人員不足による負担を大幅に軽減する目的を、センサをつけることによって実現した。
【実施例１】
【００１０】
次に、本発明の一実施例のベッド用赤外線転落防止手段について説明する。図１は本発明である転倒防止ベットの全体図、図２は転倒防止ベットの配線を示した図である。
【００１１】
図１及び図２に示すように、本発明である転倒防止ベット１は、頭部右端に第１赤外線受光部２、中央に第２赤外線受光部２ａ、左端に第３赤外線受光部２ｂを備え、脚部右端に第１赤外線発光部３、左端に第２赤外線発光部３ａを備えたベット４と、前記第１、第２、第３赤外線受光部２、２ａ、２ｂの各信号線５ａ、５ｂ、５ｃを束ねたケーブル５と、前記信号線に接続される第１処理論理積ゲート６ａ及び第２処理論理積ゲート６ｂからなりモニタ９に接続された処理装置６とからなる。
【００１２】
ベット４に取り付けられた第１赤外線発光部３の指向性は第１赤外線受光部２及び第２赤外線受光部２ａのみに探知されるように設置し、第２赤外線発光部３ａの指向性は第２赤外線受光部２ａ及び第３赤外線受光部２ｂのみに探知されるように設置し、ベッド上にＷ型４本の検知ラインを作る。
【００１３】
尚、第１赤外線発光部３と第１赤外線受光部２間の赤外線を第１探知ライン１０、第１赤外線発光部３と第２赤外線受光部２ａ間の赤外線を第２探知ライン１０ａ、第２赤外線発光部３ａと第２赤外線受光部２ａ間の赤外線を第３探知ライン１０ｂ、第２赤外線発光部３ａと第３赤外線受光部２ｂ間の赤外線を第４探知ライン１０ｃとした。
【００１４】
以上の通りに設置することで、第２探知ライン１０ａ及び第３探知ライン１０ｂを人体が遮ることで利用者の「起き上がり」を探知し、第１探知ライン１０又は第３探知ライン１０ｃを人体が遮ることで利用者がベット４上で左右どちらかに移動したことを探知でき、利用者がベット４から転落するのを防ぐことができる。
【００１５】
前記第１、第２、第３赤外線受光部２、２ａ、２ｂに接続された信号線５ａ、５ｂ、５ｃはケーブル５で束ねられており、第１赤外線受光部２に接続された信号線５ａは第１処理論理積ゲート６ａに接続され、第３赤外線受光部２ｂに接続された信号線５ｃは第２処理論理積ゲート６ｂに接続されている。また、第２赤外線受光部２ａに接続された信号線５ｂは、途中で二股に分かれて一方は第１処理論理積ゲート６ａに接続され他方は第２処理論理積ゲート６ｂに接続されている。
【００１６】
前記第１及び第２処理論理積ゲート６ａ、６ｂからの配線７はナースステーション８に設置されたモニタ９に接続され、第１、第２、第３、第４探知ライン１０、１０ａ、１０ｂ、１０ｃが探知した情報をモニタ９に表示することができる。
【００１７】
尚、前記赤外線受光部や赤外線発光部の設置数は更に増やすことも可能であり、特に設置数を限定したものではない。
【００１８】
次に、図２を使用して、転落防止ベットが利用者の動きを探知し、ナースステーションのモニタに表示される課程を説明する。
【００１９】
図２に示すように、利用者が右側に移動した場合、利用者の体が第１探知ライン１０を遮るため第１ライン１０が利用者の右側への移動を探知する。このとき、第１探知ライン１０を作る第１赤外線受光部２の信号線５ａから第１処理論理積ゲート６ａに信号が送られ第１処理論理積ゲート６ａからモニタ９に利用者の右側への移動が表示される。
【００２０】
利用者が起き上がった場合、利用者の体が第２及び第３探知ライン１０ａ、１０ｂを遮るため第２探知ライン１０ａ及び第３探知ライン１０ｂが利用者の起き上がりを探知する。このとき、第２及び第３探知ライン１０ａ、１０ｂを作る第２赤外線受光部２ａの信号線５ｂから第１処理論理積ゲート６ａ及び第２処理論理積ゲート６ｂに信号が送られ第１及び第２処理論理積ゲート６ａ、６ｂからモニタ９に利用者の起き上がりが表示される。
【００２１】
利用者が左側に移動した場合、利用者の体が第４探知ライン１０ｃを遮るため第４探知ライン１０ｃが利用者の左側への移動を探知する。このとき、第４探知ライン１０ｃを作る第３赤外線受光部２ｂの信号線５ｃから第２処理論理積ゲート６ｂに信号が送られ第２処理論理積ゲート６ｂからモニタ９に利用者の左側への移動が表示される。
【００２２】
以上のように、第１処理論理積ゲート６ａのみが信号を発した場合、利用者は右側へ移動しベットから転落しそうな状態にあることに気づくことができ、第１及び第２処理論理積ゲート６ａ、６ｂの両方が信号を発した場合、利用者が起き上がり徘徊などが起こる予想をすることができ、第２処理論理積ゲート６ｂのみが信号を発した場合、利用者が左側へ移動しベットから転落しそうな状態にあることに気づくことができる。
【図面の簡単な説明】
【００２３】
【図１】本発明である転倒防止ベットの全体図である。
【図２】本発明である転倒防止ベットの配線を示した図である。
【符号の説明】
【００２４】
１      転落防止ベット
２      第１赤外線受光部
２ａ    第２赤外線受光部
２ｂ    第３赤外線受光部
３      第１赤外線発光部
３ａ    第２赤外線発光部
４      ベッド
５      ケーブル
５ａ    信号線
５ｂ    信号線
５ｃ    信号線
６      処理装置
６ａ    第１処理論理積ゲート
６ｂ    第２処理論理積ゲート
７      配線
８      ナースステーション
９      モニタ
１０      第１探知ライン
１０ａ    第２探知ライン
１０ｂ    第３探知ライン
１０ｃ    第４探知ライン
【図１】
2007289251.tif 000003
【図２】
2007289251.tif 000004